(57)【要約】【課題】永久磁石ロータの外径振れに起因して発生するモータの騒音を低減し、あわせてこれを搭載する低騒音の機器を提供することを目的としている。【解決手段】永久磁石ロータ１の固定用ピン７近傍に第一のからませ部３を設けたものであり、これにより、固定用ピン７を固定する力に差が発生した場合においても、ロータコア中心と固定用ピン７とを結ぶ線の方向のロータコア４の強度を高めることができるため、ステータとロータとの間のギャップ幅が均一に保たれて、モータの振動騒音を抑えることが可能で、これを搭載した機器の低騒音化を図ることができる。【選択図】図１
2006320200.tif 000002
【特許請求の範囲】
【請求項１】
打ち抜かれた電磁鋼板からなる略円形ロータコアシートにからませ部を設け、このからませ部にて互いに結合しながら積層してなるロータコアの内部に複数個の永久磁石を埋設し、前記ロータコアの積層方向端面に端板を配置し、前記ロータコアと前記端板を貫通する複数の固定用ピンにて前記ロータコアと前記端板を固定してなる永久磁石ロータを有するモータにおいて、
前記前記永久磁石が略円弧状であり、この永久磁石の円弧の凹方向がロータコアの外径方向に向くように配置され、
さらに前記からませ部を、第一のからませ部と、第二のからませ部と、第三のからませ部とから構成し、
前記第一のからませ部の配置が、前記永久磁石とロータコアの内径との間で前記永久磁石間の箇所の内の、略等間隔に位置する箇所に前記固定用ピンを配置し、この固定用ピンの近傍に設けられる構成であり、
さらに前記第二のからませ部が、前記ロータコアの外周と前記永久磁石の円弧の凹方向との間の前記ロータコア部分に設けられる構成であり、前記固定ピンを固定する力の差が発生しても前記ロータコアの倒れを防ぐために、前記第二のからませ部の形状が前記ロータコアの中心から径方向に長い長方形であり、
さらに前記第三のからませ部の配置が、前記永久磁石とロータコアの内径との間で前記永久磁石間の箇所の内の、前記固定用ピンと前記固定用ピンの近傍に設けられた第一のからませ部とが配置された箇所以外の箇所に設けられる構成であり、前記第三のからませ部の形状を長方形とするモータ。
【請求項２】
請求項１に記載のモータを搭載したことを特徴とする機器。
【発明の詳細な説明】
【技術分野】
【０００１】
本発明は、冷凍空調機器用電動圧縮機、その他の産業用、家庭用の一般機器に使用され、ロータコア内に永久磁石を埋設してなる永久磁石ロータを有するモータに関するものである。
【背景技術】
【０００２】
従来の永久磁石ロータは、図６および図中Ａ−Ａ‘に沿って断面した軸方向断面である図７に示すように、ロータコアシート２に設けられた第一のからませ部３にてロータコアシート２を互いに結合しながら積層してなるロータコア４の内部に複数個の永久磁石５を埋設する。ロータコア４の積層方向端面に端板６を配置し、ロータコア４と端板６を貫通する複数の固定用ピン７にてロータコア４と端板６を固定する。固定用ピン７をロータコア４の外周と永久磁石５の間に配置し、第一のからませ部３を隣合う永久磁石間とロータコア中心Ｏとを結ぶ線８上に設け構成されている。（特許文献１参照）
【特許文献１】特開平１０−２０１１５１号公報
【発明の開示】
【発明が解決しようとする課題】
【０００３】
しかしながら、上記従来の永久磁石ロータにおいては、固定用ピンにて端板とロータコアを固定する際、複数の各々固定用ピンは必ず長さが異なるため、固定用ピンを固定する力に差が発生し、ロータコア中心と固定用ピンとを結ぶ線の方向にからませ部がないため、前記方向のロータコアの強度が弱く、前記方向にロータコアが倒れ、ロータコアの軸に対する外径の振れが大きくなる。したがってステータとロータとの間のギャップ幅が不均一になり、さらに前記方向は隣合う永久磁石間とロータコア中心とを結ぶ線の方向に対し永久磁石の磁束が多く流れる方向であるため、ロータコア中心と固定用ピンとを結ぶ線の方向と、隣合う永久磁石間とロータコア中心とを結ぶ線の方向では、ロータコア表面の磁束量の差が大きくなる。この結果、ステータとロータ間の磁気吸引力の変動が大きくなり、モータの騒音が大きくなっていた。
【０００４】
本発明は、永久磁石ロータの外径振れに起因して発生するモータの騒音を低減し、あわせてこれを搭載する低騒音の機器を提供することを目的としている。
【課題を解決するための手段】
【０００５】
上記課題を解決するために、本件出願の発明は、永久磁石ロータの固定用ピン近傍に第一のからませ部を設けたものであり、これにより、固定用ピンを固定する力に差が発生した場合においても、ロータコア中心と固定用ピンとを結ぶ線の方向のロータコアの強度を高めることができるため、ステータとロータとの間のギャップ幅が均一に保たれて、モータの振動騒音を抑えることが可能で、これを搭載した機器の低騒音化を図ることができる。
【０００６】
本件出願の発明においては、抜かれた電磁鋼板からなる略円形ロータコアシートを、切り起こされたからませ部にて互いに結合しながら積層してなるロータコア内部に複数個の永久磁石を埋設し、前記ロータコアの積層方向端面に端板を配置し、前記ロータコアと前記端板を貫通する複数の固定用ピンにて前記ロータコアと前記端板を固定してある永久磁石ロータを有するモータにおいて、前記固定用ピンの近傍に第一のからませ部を設けたことを特徴とするモータであって、ロータコア中心と固定用ピンとを結ぶ線の方向のロータコアの強度を高めることができる。
【０００７】
また、本件出願の発明においては、永久磁石ロータの固定用ピンをロータコアの内径と永久磁石の間であって、隣合う前記永久磁石の間に配置したことを特徴とするモータでり、モータ効率を損なうことなく、ロータコア中心と固定用ピンとを結ぶ線の方向のロータコアの強度を高めることができる。
【０００８】
また、本件出願の発明においては、ロータコアの外周と永久磁石の間のロータコアに第二のからませ部を設けたことを特徴とするモータであり、ロータコアの外周と永久磁石の間のロータコアが、ロータコア中心と固定用ピンとを結ぶ線の方向への倒れを防ぐことができる。
【０００９】
また、本件出願の発明においては、全ての永久磁石間の数の半数の箇所に固定用ピンを配置し、残り半数の箇所に第三のからませ部を設けたことを特徴とするモータであり、からませを追加したことによりロータコアの強度を維持しつつ、固定用ピンの数を減らすことができる。
【００１０】
また、本件出願の発明においては、上記のモータを搭載したことを特徴とする機器であり、冷凍空調機器用電動圧縮機、その他の産業用もしくは家庭用の一般機器の低騒音化を図ることができる。
【発明の効果】
【００１１】
本件出願に係る発明によれば、ロータコア中心と固定用ピンとを結ぶ線の方向のロータコアの強度を高めることが可能であるため、固定用ピンを固定する力に差が発生した場合においても、ロータコア中心と固定用ピンとを結ぶ線の方向のロータコアの強度を高めることができるため、ステータとロータとの間のギャップ幅が均一に保たれて、ステータとロータ間の磁気吸引力の変動を小さくすることが可能であるため、モータの低騒音化を図ることができる。
【００１２】
また、本件出願に係る発明によれば、からませ部をロータコア内を通過する磁束に影響しない位置としているため、モータ効率を損なうことなく、ロータコア中心と固定用ピンとを結ぶ線の方向のロータコアの強度を高めることができるため、ステータとロータとの間のギャップ幅が均一に保たれて、モータの低騒音化を図ることができる。
【００１３】
また、本件出願に係る発明によれば、ロータコアの外周と永久磁石の間のロータコアが、ロータコア中心と固定用ピンとを結ぶ線の方向への倒れを防ぐことが可能であるため、さらにモータの振動騒音を抑えることができる。
【００１４】
また、本件出願に係る発明によれば、ロータコアの強度を維持しつつ、固定用ピンの数を減らし材料費を低減することができる。
【００１５】
そして、上記有利な効果を有するモータを各種機器に搭載することにより、低振動の機器を得ることができる。
【発明を実施するための最良の形態】
【００１６】
以下、本発明の具体例について、図面を用いて説明する。
【００１７】
（実施の形態１）
図１から図３を用いて説明する。
【００１８】
ロータコアシート２に設けられた第一のからませ部３は図３に示すように、切り起こされて、ロータコアシート２は互いに結合しながら積層され、ロータコア４を形成する。ロータコア４の内部に複数個の永久磁石５を埋設する。永久磁石５は略円弧状であり、円弧の凹方向がロータコア４の外径方向に向くように配置されている。ロータコア４の積層方向端面に端板６を配置し、ロータコア４と端板６を貫通する複数の固定用ピン７にてロータコア４と端板６を固定する。固定用ピン７を、ロータコア４の内径９と永久磁石５の間のロータコア４ａで、かつ隣合う永久磁石５の間で近接する付近に配置し、第一のからませ部３を固定用ピン７の近傍に設けている。
【００１９】
以上のように本実施の形態の永久磁石ロータは、複数の固定用ピン７にて端板６とロータコア４を固定する際、複数の固定用ピン７の長さが異なって、複数の固定用ピンを固定する力に差が発生しても、固定用ピン７の近傍の第一のからませ部３によりロータコア４が結合されているため、ロータコア中心Ｏと固定用ピン７とを結ぶ線１０の方向にロータコア４は倒れず、従来例に比べてロータコア４の軸に対するロータコア４の外径の振れが小さい永久磁石ロータとすることができる。
【００２０】
（実施の形態２）
図４を用いて説明する。
【００２１】
ロータコア４の外周と永久磁石５の間のロータコア４ｂに第二のからませ部１１を設けている。第二のからませ部１１はロータコア中心Ｏから径方向に長い長方形であり、長方形の長辺１１ａはほぼロータコア中心Ｏと固定用ピン７とを結ぶ線１０上のロータコア外周付近のロータコア４ｃに面している。固定用ピン７でロータコア４と端板６を固定する際に、ロータコア４ａが４ｃの方に変形し、ロータコア４が線１０の方向に倒れるのを防ぐことができ、従来例に比べてロータコア４の軸に対するロータコア４の外径の振れが小さい永久磁石ロータとすることができる。
【００２２】
（実施の形態３）
図５を用いて説明する。
【００２３】
ロータコア４内に略円弧状の永久磁石５を凹がロータコア４の外周に向くように６個配置する。永久磁石５とロータコア４の内径の間のロータコア４ｄの６箇所の永久磁石間の内、略等間隔に位置する３個所に固定用ピン７を配置し、固定用ピン７の近傍に第一のからませ部３を設ける。固定用ピン７を配置していないロータコア４ｄの３箇所の永久磁石間に第三のからませ部１２を設ける。ロータコア４の倒れを防ぎながら第三のからませ部１２を追加したことによりロータコア４の強度を確保することにより、本来６本の固定用ピンを使用するところを半数の３本に減らすことができ、材料費を低減できる永久磁石ロータとすることができる。
【産業上の利用可能性】
【００２４】
本発明は、冷凍空調機器用電動圧縮機、その他の産業用、家庭用の一般機器に使用され、ロータコア内に永久磁石を埋設してなる永久磁石ロータを有するモータに関すて、永久磁石ロータの外径振れに起因して発生するモータの騒音を低減し、あわせてこれを搭載する低騒音の機器を提供するものである。
【図面の簡単な説明】
【００２５】
【図１】本発明の実施例１の永久磁石ロータの径方向断面図
【図２】同軸方向断面図
【図３】同からませ部の断面図
【図４】本発明の実施例２の永久磁石ロータの径方向断面図
【図５】本発明の実施例３の永久磁石ロータの径方向断面図
【図６】従来の永久磁石ロータの径方向断面図
【図７】同軸方向断面図
【符号の説明】
【００２６】
１  永久磁石ロータ
２  ロータコアシート
３  第一のからませ部
４、４ａ、４ｂ、４ｃ、４ｄ  ロータコア
５  永久磁石
６  端板
７  固定用ピン
１１  第二のからませ部
１２  第三のからませ部
【図１】
2006320200.tif 000003
【図２】
2006320200.tif 000004
【図３】
2006320200.tif 000005
【図４】
2006320200.tif 000006
【図５】
2006320200.tif 000007
【図６】
2006320200.tif 000008
【図７】
2006320200.tif 000009